(57)【要約】【課題】傷つきやすい被計量物を、計量処理した後、損傷することなく、かつ、速やかに排出できるようにする。【解決手段】円状に配置された複数のホッパ７から排出される被計量物を集合させて下方へ排出する集合シュート８を備える組合せ秤であって、前記集合シュート８下部の中心部には、上下に延びる緩衝体２１が設けられている。【選択図】図９
2020201105.tif 000002
【特許請求の範囲】
【請求項１】
円状に配置された複数のホッパから排出される被計量物を集合させて下方へ排出する集合シュートを備える組合せ秤であって、
前記集合シュート下部の中心部には、上下に延びる緩衝体が設けられている、
ことを特徴とする組合せ秤。
【請求項２】
前記緩衝体は、前記中心部から前記集合シュートの径方向外方へ向けて延びる複数の縦壁部を備えている、
請求項１に記載の組合せ秤。
【請求項３】
前記緩衝体は、平面視略十字状となるように、前記縦壁部を、前記集合シュートの周方向に沿う４箇所に備える、
請求項２に記載の組合せ秤。
【請求項４】
前記集合シュートの下方に配置されて、前記集合シュートから排出される被計量物を一時保持して、排出する集合ホッパを備え、
前記緩衝体の下部が、前記集合ホッパの内部まで延伸している、
請求項１ないし３のいずれか一項に記載の組合せ秤。
【請求項５】
円状に配置された複数のホッパから排出される被計量物を集合させて排出する集合シュートと、該集合シュートの下方に配置されて、前記集合シュートから排出される前記被計量物を集合させて下方へ排出する集合ファネルとを備える組合せ秤であって、
前記集合ファネルの中心部に設けられた上下に延びる緩衝体と、
前記集合ファネルの内周面に、該集合ファネルの周方向に沿って設けられた複数のバッフル板とを備え、
前記複数のバッフル板は、前記集合ファネルの前記被計量物が流下する空間を、前記周方向に沿って複数に仕切る、
ことを特徴とする組合せ秤。
【請求項６】
前記緩衝体は、前記中心部から前記集合ファネルの径方向外方へ向けて延びる複数の縦壁部を備えている、
請求項５に記載の組合せ秤。
【請求項７】
前記緩衝体は、平面視略十字状となるように、前記縦壁部を、前記集合ファネルの周方向に沿う４箇所に備える、
請求項６に記載の組合せ秤。
【請求項８】
前記バッフル板の、前記集合ファネルの径方向内方側の端部で、前記緩衝体の前記縦壁部の外端部を支持している、
請求項６または７に記載の組合せ秤。
【請求項９】
前記緩衝体の隣合う前記縦壁部の間の前記被計量物が流下する空間を仕切る前記バッフル板を備え、
当該バッフル板の、前記集合ファネルの径方向内方側の端部で前記緩衝体の中心部を当接支持している、
請求項８に記載の組合せ秤。
【請求項１０】
前記集合ファネルの下方に配置されて、前記集合ファネルから排出される被計量物を一時保持して、排出する集合ホッパを備え、
前記緩衝体の下部が、前記集合ホッパの内部まで延伸している、
請求項５ないし９のいずれか一項に記載の組合せ秤。
【請求項１１】
前記緩衝体は、高さ調節可能に支持されている、
請求項１ないし１０のいずれか一項に記載の組合せ秤。
【発明の詳細な説明】
【技術分野】
【０００１】
本発明は、被計量物を所定重量範囲の重量となるように組合せ計量して排出する組合せ秤に関し、更に詳しくは、傷つきやすい被計量物等の計量に好適な組合せ秤に関する。
【背景技術】
【０００２】
従来より、煎餅、あられ、ピーナッツ、等の破損しやすい被計量物が、計量ホッパから集合シュートに排出されて、集合シュートやその下方の排出ホッパに激しく衝突して破損するのを防止するために、例えば、特許文献１に示されているように、外周面に緩衝体が備えられた中間シャッタを、集合シュートの下部中心に昇降可能に配備し、計量ホッパを開放する時には中間シャッタを下降させて排出径路を遮断し、緩衝体で被計量物を受けて緩衝を和らげ、その後、中間シャッタを上昇させて排出径路を開放することで、被計量物を排出ホッパに投入するように構成したものが知られている。
【先行技術文献】
【特許文献】
【０００３】
【特許文献１】実開昭６０−１９１９３９号公報
【発明の概要】
【発明が解決しようとする課題】
【０００４】
上記特許文献１では、緩衝体が備えられた中間シャッタを、昇降させる昇降機構等を必要とし、構造が複雑となる。また、中間シャッタの昇降に時間を必要とするために、排出ホッパから被計量物を包装装置へ排出するまでの時間が長くなり、計量包装処理能力を高めることが困難となる。
【０００５】
本発明は、このような点に着目してなされたものであって、簡単な構造で、傷つきやすい被計量物を、計量処理した後、損傷することなく、速やかに排出することができる組合せ秤を提供することを目的とする。
【課題を解決するための手段】
【０００６】
上記目的を達成するために、本発明では次のように構成している。
【０００７】
（１）本発明に係る組合せ秤は、円状に配置された複数のホッパから排出される被計量物を集合させて下方へ排出する集合シュートを備える組合せ秤であって、前記集合シュート下部の中心部には、上下に延びる緩衝体が設けられている。
【０００８】
本発明によると、複数のホッパから排出されて集合シュートに投入された被計量物は、集合シュート下部の中心部に設けられた上下に延びる緩衝体で緩衝的に受止められて、衝撃が緩和されるので、簡単な構造で計量物が損傷するのを防止することができる。また、上記特許文献１のように、中間シャッタの昇降時間が不要であり、被計量物を速やかに排出することができる。
【０００９】
（２）本発明の一実施態様では、前記緩衝体は、前記中心部から前記集合シュートの径方向外方へ向けて延びる複数の縦壁部を備えている。
【００１０】
この実施態様によると、集合シュートに投入された被計量物は、緩衝体で緩衝的に受止められるだけでなく、複数の縦壁部によって、被計量物の移動を抑制することができる。これによって、跳ねやすい被計量物であっても、跳ねたり、移動するのを効果的に抑制することができる。
【００１１】
（３）本発明の好ましい実施態様では、前記緩衝体は、平面視略十字状となるように、前記縦壁部を、前記集合シュートの周方向に沿う４箇所に備える。
【００１２】
この実施態様によると、緩衝体は、平面視略十字状となる４つの縦壁部によって、集合シュートの被計量物が流下する空間の少なくとも一部の空間を、周方向に沿って４つに仕切ることができ、跳ねやすい被計量物であっても、被計量物が周方向に跳ねたり、移動するのを効果的に抑制することができる。
【００１３】
（４）本発明の一実施態様では、前記集合シュートの下方に配置されて、前記集合シュートから排出される被計量物を一時保持して、排出する集合ホッパを備え、前記緩衝体の下部が、前記集合ホッパの内部まで延伸している。
【００１４】
この実施態様によると、集合ホッパ内まで延伸している緩衝体によって、被計量物が、集合ホッパ内で、移動するのを、阻止することができ、跳ねやすい被計量物であっても、集合ホッパ内で速やかに安定させ、落ち着かせることができる。また、集合ホッパ内では、緩衝体の複数の縦壁部によって、集合ホッパ内の空間を複数に仕切ることができるので、被計量物の動きを速やかに抑制して安定させることができる。
【００１５】
（５）本発明は、円状に配置された複数のホッパから排出される被計量物を集合させて排出する集合シュートと、該集合シュートの下方に配置されて、前記集合シュートから排出される前記被計量物を集合させて下方へ排出する集合ファネルとを備える組合せ秤であって、
前記集合ファネルの中心部に設けられた上下に延びる緩衝体と、前記集合ファネルの内周面に、該集合ファネルの周方向に沿って設けられた複数のバッフル板とを備え、前記複数のバッフル板は、前記集合ファネルの前記被計量物が流下する空間を、前記周方向に沿って複数に仕切っている。
【００１６】
この実施態様によると、集合シュートに沿って流下して集合ファネルに投入された被計量物は、集合ファネルの中心部を上下に延びる緩衝体で緩衝的に受止められて、衝撃が緩和されるので、被計量物が損傷するのを防止することができる。また、バッフル板によって、被計量物が周方向に移動するのを阻止することができるので、跳ねやすい被計量物であっても、円滑に下方へ案内される。
【００１７】
（６）本発明の他の実施態様では、前記緩衝体は、前記中心部から前記集合ファネルの径方向外方へ向けて延びる複数の縦壁部を備えている。
【００１８】
この実施態様によると、集合ファネルに投入された被計量物は、緩衝体で緩衝的に受止められるだけでなく、複数の縦壁部によって、被計量物の移動を抑制することができ、複数のバッフル板と相俟って、跳ねやすい被計量物が、跳ねたり、移動するのを効果的に抑制することができる。これによって、被計量物を、円滑に流下案内することができる。
【００１９】
（７）本発明の更に他の実施態様では、前記緩衝体は、平面視略十字状となるように、前記縦壁部を、前記集合ファネルの周方向に沿う４箇所に備える。
【００２０】
この実施態様によると、緩衝体は、平面視略十字状となる４つの縦壁部及び複数のバッフル板によって、集合ファネルの被計量物が流下する空間を、周方向に沿って複数に仕切っているので、跳ねやすい被計量物が周方向に跳ねたり、移動するのを効果的に阻止することができる。
【００２１】
（８）本発明の一実施態様では、前記バッフル板の、前記集合ファネルの径方向内方側の端部で、前記緩衝体の前記縦壁部の外端部を支持している。
【００２２】
この実施態様によると、バッフル板は、被計量物が周方向に移動するのを阻止するだけではなく、緩衝体の縦壁部が周方向に撓み変形するのを阻止することができる。
【００２３】
（９）本発明の他の実施態様では、前記緩衝体の隣合う前記縦壁部の間の前記被計量物が流下する空間を仕切る前記バッフル板を備え、当該バッフル板の、前記集合ファネルの径方向内方側の端部で前記緩衝体の中心部を当接支持している。
【００２４】
この実施態様によると、バッフル板は、被計量物が周方向に移動するのを阻止するだけでなく、緩衝体を集合ファネルの中心に位置決め保持することができる。
【００２５】
（１０）本発明の更に他の実施態様では、前記集合ファネルの下方に配置されて、前記集合ファネルから排出される被計量物を一時保持して、排出する集合ホッパを備え、前記緩衝体の下部が、前記集合ホッパの内部まで延伸している。
【００２６】
この実施態様によると、集合ホッパ内まで延伸している緩衝体によって、集合ホッパ内で、跳ねやすい被計量物が跳ねたり、移動するのを、阻止することができ、集合ホッパに投入された被計量物を速やかに安定させ、落ち着かせることができる。また、集合ホッパ内では、緩衝体の複数の縦壁部によって、集合ホッパ内の空間を複数に仕切ることができるので、被計量物の動きを速やかに阻止して安定させることができる。
【００２７】
（１１）本発明の好ましい実施態様では、前記緩衝体は、高さ調節可能に支持されている。
【００２８】
緩衝体を集合ホッパ内へ大きく延伸させるほど被計量物を安定させる機能は高まるが、その反面、被計量物の詰まりが発生しやすくなる。この実施態様によると、集合ホッパでの被計量物の貯留量に対応した好適な高さに緩衝体を位置調節することができる。
【発明の効果】
【００２９】
このように、本発明の組合せ秤によれば、簡単な構造で、傷つきやすい被計量物を、計量処理した後、損傷することなく、かつ、速やかに排出することができる。
【図面の簡単な説明】
【００３０】
【図１】図１は本発明の一実施形態に係る組合せ秤の概略構成を示す縦断正面図である。
【図２】図２は組合せ秤の集合ファネル近傍の平面図である。
【図３】図３は組合せ秤の集合ファネル近傍の斜視図である。
【図４】図４は緩衝体とバッフル板の組合せ状態を示す斜視図である。
【図５】図５は緩衝体と一方の仕様のバッフル板との対応状態を示す縦断面図である。
【図６】図６は緩衝体と他方の仕様のバッフル板との対応状態を示す縦断面図である。
【図７】図７は緩衝体の分解斜視図である。
【図８】図８は仕様の異なる２種のバッフル板を示す斜視図である。
【図９】図９は本発明の他の実施形態に係る組合せ秤の概略構成を示す縦断正面図である。
【図１０】図１０は組合せ秤の集合シュート中心部の平面図である。
【図１１】図１１は緩衝体と集合シュートの組合せ状態を示す斜視図である。
【図１２】図１２は緩衝体と集合シュートの対応状態を示す縦断面図である。
【発明を実施するための形態】
【００３１】
以下、本発明の実施形態を図面に基づいて詳細に説明する。
【００３２】
［実施形態１］
図１は、本発明の一実施形態に係る組合せ秤の概略構成を示す縦断正面図であり、図２は、その要部である集合ファネル近傍の平面図であり、図３は、集合ファネル近傍の斜視図である。
【００３３】
この実施形態の組合せ秤は、各種の菓子や食品などの被計量物を所定量ずつ計量して排出するものであって、計量された被計量物を包装装置に投入して袋詰めする包装ラインに利用される。
【００３４】
この組合せ秤は、中央部が大きく上下に貫通開口された中空構造の基台１の上方に、中空のセンター基体２が支持脚３を介して支持されている。センター基体２の上部中心には、図示されていない供給装置の終端から落下供給される被計量物を振動によって放射状に分散搬送する分散フィーダ４が設けられている。この分散フィーダ４の周囲に、分散搬送された被計量物を振動によって外方に向けて直進搬送する多数のリニアフィーダ５が放射状に設けられている。
【００３５】
更に、センター基体２の外周壁部に、各リニアフィーダ５からの被計量物を一旦貯留して排出する供給ホッパ６と、各供給ホッパ６から排出された被計量物を計量して排出する計量ホッパ７とが、センター基体２を中心に円状に配置されている。これらリニアフィーダ５、供給ホッパ６、及び、計量ホッパ７を一連とする多数連（例えば２４連）の計量ユニットによって被計量物の組合せ計量及び排出が行われる。
【００３６】
各計量ホッパ７の下方には、排出された被計量物を、センター基体２の中心側の下方に集めて排出する集合シュート８が配備されている。集合シュート８は、下方に向けて小径となる逆円錐台状の筒状体であり、複数、この例では、８個の集合シュート８によって構成されている。
【００３７】
集合シュート８の下端部には、集合シュート８から滑落してきた被計量物をセンター基体２の中心側の下方に集める筒状の集合ファネル９が配備されている。この集合ファネル９は、下方に向けて小径となる逆円錐台状の筒状体である。
【００３８】
集合ファネル９の下方には、集合ファネル９で集められた被計量物を一旦受け止め、貯留する集合ホッパ１０が配置され、下方に設置された図示されていない包装装置からの排出要求指令に基づいて集合ホッパ１０の一対のゲート１０ａの開閉制御が、図示しない制御装置によって行われる。
【００３９】
分散フィーダ４は、トップコーン１１と、これを振動駆動する電磁式の加振機構１２とを備えている。加振機構１２はセンター基体２の内部に配備されている。なお、加振機構１２は、重量センサ１３に連結支持されている。この重量センサ１３によって分散フィーダ４上の被計量物の重量が検知されるようになっている。そして、その重量検知情報に基づいて上記供給装置が制御されて、分散フィーダ４上に常に設定範囲内の重量の被計量物が供給されるようになっている。
【００４０】
リニアフィーダ５は、樋形のトラフ１４とこれを振動駆動する電磁式の加振機構１５とを備えている。各リニアフィーダ５の加振機構１５が、分散フィーダ４の加振機構１２を取り囲むようにセンター基体２の内部に配備されている。
【００４１】
センター基体２の外周部には、供給ホッパ６及び計量ホッパ７のゲート開閉用の駆動機構、及び、計量ホッパ７内の被計量物の重量を計測する重量センサ、等を組み込んだ駆動ユニット１６が装着され、この駆動ユニット１６の外方露出箇所に、供給ホッパ６及び計量ホッパ７がフック方式で脱着可能に装着支持されている。
【００４２】
この実施形態の組合せ秤は、傷つきやすく、跳ねやすい被計量物を、損傷することなく速やかに包装装置へ投入できるようにしている。
【００４３】
傷つきやすく、跳ねやすい被計量物としては、例えば、シュガーコーティングされたグミなどがある。シュガーコーティングされたグミは、楕円体状で弾力性を有するので、跳ねやすく、勢いよくぶつかると、砂糖の被膜が傷ついて商品価値を損ねてしまう。
【００４４】
このため、この実施形態の組合せ秤では、集合ファネル９には、その中心部に、ウレタンゴムなどの緩衝素材からなる緩衝体２１が上下に延びる縦向き姿勢で配備されている。この緩衝体２１によって、集合シュート８を滑落して集合ファネル９に勢いよく投入される被計量物を緩衝的に受け止めることができ、被計量物が傷つくのを防止することができる。
【００４５】
この緩衝体２１は、集合ファネル９の中心部から径方向外方へ向けて放射状に延びる複数、この例では、４つの縦壁部２１ａを備えている。この縦壁部２１ａは、集合ファネル９の周方向に沿って等間隔に形成されており、上下方向に延びている。緩衝体２１の縦壁部２１ａは、図２に示すように、平面視で略十字状となっている。
【００４６】
集合ファネル９は、逆円錐台状の筒体であるので、緩衝体２１の各縦壁部２１ａの外端部は、集合ファネル９の下端開口に向かう程、集合ファネル９の内周面に近接する。
【００４７】
上下に延びる緩衝体２１の上部は、集合ファネル９の上端開口と略同じ位置にある。緩衝体２１の下部は、集合ファネル９の下端開口を貫通して集合ホッパ１０の内部まで延伸している。したがって、緩衝体２１は、平面視略十字状の４つ縦壁部２１ａによって、集合ホッパ１０の内部空間を、４つに仕切っている。
【００４８】
図７に示すように、緩衝体２１は、角軸からなる縦向き支軸２２の４つの周面に、厚さ２ｍｍ程度のウレタンゴムからなる４枚の緩衝プレート２３を、その幅方向中央部位で外向きに凹入湾曲させて、押さえ板２４を介してネジ連結して構成されたものである。外向きに凹入湾曲させた各緩衝プレート２３の隣接する遊端部同士を当接重合させることによって、二枚重ねの縦壁部２１ａが四方に向けて延出形成されている。
【００４９】
このように緩衝体２１を、撓み変形可能な複数枚の緩衝プレート２３を湾曲させて縦向き支軸２２の外周に連結し、各緩衝プレート２３の隣接する遊端部同士を当接重合させて、縦壁部２１ａを形成しているので、複数の縦壁部２１ａを備えた緩衝体２１を安価に製作することができる。
【００５０】
縦向き支軸２２は、図１に示すように、連結ネジ軸２５、及び、支持ブラケット２６を介してセンター基体２の中心部下面に連結支持されており、連結ネジ軸２５のナット２５ａによって、緩衝体２１の高さを調節することができる。
【００５１】
集合ファネル９の内周面には、仕様の異なる２種のバッフル板２７、２８が４枚ずつ放射状に配備されている。
【００５２】
図８（ａ），（ｂ）に示すように、これらバッフル板２７、２８は、２枚の薄いステンレス鋼板を、小間隔（数ｍｍ）を空けて対向配備して、上端辺に沿って溶接結合した中空の二重壁構造に構成されており、その外端部に溶接連結した連結板２７ａ、２８ａを介して集合ファネル９の外周縁部にネジによって当接支持されている。
【００５３】
バッフル板２７、２８の上端辺は、ぶつかった被計量物の損傷を防ぐために、その縦断面形状が山形となるように突き合わせて溶接されている。また、バッフル板２７、２８の下端辺を下方に開放することで、側面が若干撓み変形することを許容し、側面にぶつかった被計量物を緩衝的に受止めることができるようになっている。
【００５４】
図４及び図５に示すように、一方の仕様のバッフル板２７は、緩衝体２１の各縦壁部２１ａに対向して配備されている。このバッフル板２７の内端部、すなわち、集合ファネル９の径方向内方側の端部に連設された延長部２７ｂに、緩衝体２１の縦壁部２１ａの外端部を挿入することで、縦壁部２１ａの周方向への横振れ変形を規制するようになっている。
【００５５】
図６に示すように、他方の仕様のバッフル板２８は、緩衝体２１における隣接する縦壁部２１ａの中間部位に対向して配備されている。このバッフル板２８の内端部、すなわち、集合ファネル９の径方向内方側の端部が緩衝体２１における中心部外面に当接されている。バッフル板２８の内端部は、緩衝体２１における縦向き支軸２２の下部相当部位を四方から受止め支持することになる。これによって、センター基体２に吊り下げ支持された緩衝体２１全体の横振れを阻止し、緩衝体２１を集合ファネル９の中心に位置決め保持することができる。
【００５６】
図２に示すように、これらバッフル板２７、２８は、集合ファネル９における被計量物が流下する外周側の空間を、集合ファネル９の周方向に８等分して仕切ることになる。隣接するバッフル板２７、２８の間に形成された８つの被計量物が流下する空間の始端部それぞれに、集合シュート８の下端部が臨んでいる。
【００５７】
なお、計量ユニットが２４連備えられたこの例では、１つの集合シュート８で、隣接する３連の計量ホッパ７からの被計量物を流下案内するようになっている。
【００５８】
上記構成を有する組合せ秤では、組合せ演算によって所定重量範囲になるように選択された複数の計量ホッパ７から排出された被計量物ｗは、対応する集合シュート８を介して集合ファネル９に送り込まれ、バッフル板２７、２８で仕切られた８つの被計量物の流下空間のいずれかに導かれる。
【００５９】
一つの被計量物の流下空間を流下する被計量物ｗは、隣合う両バッフル板２７、２８によって横方向、すなわち、集合ファネル９の周方向への移動が規制され、隣接する被計量物の流下空間に飛び込むことなく流下する。勢いよく流下する被計量物ｗは、緩衝体２１で緩衝的に受止められた後、集合ファネル９の下端開口を経て集合ホッパ１０に落下供給される。
【００６０】
この際、集合ホッパ１０に投入された被計量物ｗは、集合ホッパ１０の内部まで延伸されている緩衝体２１の平面視略十字状の縦壁部２１ａによって、その周方向へ跳ねたり、移動するのが緩衝的に抑制され、被計量物ｗは集合ホッパ１０内で短時間に安定した状態となる。
【００６１】
以上のように本実施形態によれば、集合シュート８から集合ファネル９へ投入される被計量物ｗを、集合ファネル９の中心部に配置された緩衝体２１によって、緩衝的に受け止めて衝撃を和らげるので、被計量物ｗが傷つくのを防止することができる。また、緩衝体２１の縦壁部２１ａ、及び、集合ファネル９の内周面に設けられたバッフル板２７，２８によって、集合ファネル９の被計量物ｗが流下する外周側の空間を、周方向に沿って８つに仕切って、周方向へ跳ねたり、移動するのを抑制して、円滑に下方の集合ホッパ１０に流下案内することができる。
【００６２】
更に、集合ホッパ１０内に投入された被計量物ｗは、集合ホッパ１０内まで延伸している緩衝体２１の平面視略十字状の４つの縦壁部２１ａによって、集合ホッパ１０での移動が規制されて、速やかに安定して収容される。
【００６３】
このように集合ホッパ１０内に、被計量物ｗを円滑に投入できると共に、集合ホッパ１０内での被計量物ｗの動きを規制して速やかに安定させることができる。
【００６４】
これによって、集合ホッパ１０から包装装置へ被計量物ｗを投入する時間間隔を短くすることができ、高速な計量包装処理が可能となる。
【００６５】
また、本実施形態によれば、緩衝体２１は、連結ネジ軸２５、及び、支持ブラケット２６を介してセンター基体２に連結支持される一方、バッフル板２７，２８は、連結板２７ａ、２８ａを介して集合ファネル９の外周縁部に当接支持されるので、脱着が比較的容易である。したがって、傷つきやすく、跳ねやい被計量物の場合には、上記実施形態のように、緩衝体２１及びバッフル板２７，２８を装着して計量を行ない、傷つきにくく、跳ねにくい通常の被計量物の場合には、緩衝体２１及びバッフル板２７，２８を取外して計量することができる。
【００６６】
なお、緩衝体２１を、集合ホッパ１０内へ大きく延伸させるほど被計量物ｗを安定化させる機能は高まるが、その反面、集合ホッパ１０での被計量物ｗの実質的な収容体積が小さくなって被計量物ｗの詰まりが発生しやすくなる。このため、集合ホッパ１０での貯留量や被計量物の大きさ、等に対応して緩衝体２１の高さ調節を行うのが好ましい。
【００６７】
［実施形態２］
図９は、本発明の他の実施形態に係る組合せ秤の概略構成を示す縦断正面図であり、図１０は、組合せ秤の集合シュート中心部の平面図であり、図１１は、緩衝体と集合シュートの組合せ状態を示す斜視図であり、図１２は、緩衝体と集合シュートの対応状態を示す縦断面図であり、上記実施形態に対応する部分には、同一の参照符号を付して、その説明を省略する。
【００６８】
この実施形態では、上記実施形態に用いられている集合ファネル９が省略された形態が採用されており、集合シュート８の下端部が、集合ホッパ１０の上端に円形に形成された入口１０ｂに直接臨んでいる。
【００６９】
上下に延びる緩衝体２１は、集合シュート８の中心部に配置されており、この緩衝体２１は、集合シュート８の下部から、該集合シュート８の下端開口を貫通して、集合ホッパ１０の内部まで延伸している。
【００７０】
ここで、各集合シュート８の周方向両側部に沿って立設された側壁部８ａ、８ｂの内、一方の側壁部８ａは、その終端が底面終端に揃えられているのに対して、他方の側壁部８ｂは、その終端が底面終端よりも流下方向に延出されている。そして、周方向に隣接する各集合シュート８の一方の側壁部８ａ同士が重なるように近接され、これら一対の側壁部８ａで、緩衝体２１における縦壁部２１ａの遊端部を挟むように配備されている。また、周方向に隣接する集合シュート８の他方の側壁部８ｂ同士が重なるように近接、あるいは、接合された状態で緩衝体２１の中心部にまで延出されている。
【００７１】
このようにして、集合ホッパ１０における被計量物の投入空間が、緩衝体２１における４枚の縦壁部２１ａと、各集合シュート８における側壁部８ｂとによって、周方向に８等分して仕切られている。これによって、各集合シュート８を流下してきた被計量物ｗは、緩衝体２１によって緩衝的に受止められて集合ホッパ１０に投入される。また、被計量物ｗは、緩衝体２１の縦壁部２１ａと各集合シュート８における側壁部８ｂとによって仕切られた８つの区画のいずれかにおいて大きく跳ねたり、周方向に大きく移動することなく集合ホッパ１０内に導かれる。
【００７２】
更に、集合ホッパ１０内に投入された被計量物ｗは、集合ホッパ１０内まで延伸している緩衝体２１の平面視略十字状の４つの縦壁部２１ａによって、集合ホッパ１０での移動が規制されて、速やかに安定して収容される。
【００７３】
これによって、上記実施形態と同様に、集合ホッパ１０から包装装置へ被計量物ｗを投入する時間間隔を短くすることができ、高速な計量包装処理が可能となる。
【００７４】
［その他の実施形態］
本発明は、以下のような形態で実施することもできる。
【００７５】
（１）バッフル板２７、２８は、被計量物の流下方向に沿って延びているので、その側面に被計量物が特に強く衝突するおそれが少ないので、バッフル板２７、２８を硬質の素材で形成しても支障がないが、特に打痕の発生を嫌う被計量物を扱う場合には、被計量物が接触する外表面にウレタンゴムなどの緩衝コーティング層を形成するとよい。
【００７６】
（２）緩衝体２１全体を、ウレタンゴムなどの緩衝素材で一体形成することもできる。
【００７７】
（３）緩衝体２１に備える縦壁部２１ａの数やバッフル板２７，２８の数は、被計量物の跳ねやすさやサイズ、あるいは、計量ユニットの連数、等に応じて任意に設定することができる。
【００７８】
（４）バッフル板２７、２８の集合ファネル内周面からの高さは、跳ね上がった被計量物が飛び越えない程度でよい。
【符号の説明】
【００７９】
７                  計量ホッパ
８                  集合シュート
９                  集合ファネル
１０                集合ホッパ
２１                緩衝体
２１ａ              縦壁部
２２                縦向き支軸
２３                緩衝プレート
２７                バッフル板
２８                バッフル板
ｗ                  被計量物
【図１】
2020201105.tif 000003
【図２】
2020201105.tif 000004
【図３】
2020201105.tif 000005
【図４】
2020201105.tif 000006
【図５】
2020201105.tif 000007
【図６】
2020201105.tif 000008
【図７】
2020201105.tif 000009
【図８】
2020201105.tif 000010
【図９】
2020201105.tif 000011
【図１０】
2020201105.tif 000012
【図１１】
2020201105.tif 000013
【図１２】
2020201105.tif 000014